【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
データおよびメタデータの関連付けを定義、設計する関連付け設計機能と、前記データと、前記データに表示すべき関連した前記メタデータを表示する方法を設計する設計機能と、前記関連付け設計機能と前記方法を設計する設計機能の２つの設計機能から与えられた情報から前記データと前記メタデータの送受信および中継方法を生成する機能を有する管理装置と、
前記データおよび前記メタデータを生成する生成装置と、
前記データおよび前記メタデータを表示する表示装置と、
前記データおよび前記メタデータを中継する中継装置とから構成され、
前記管理装置は、
前記関連付け設計機能を用いて作成された関連付け情報に含まれる前記データの位置と取得方法に従って、前記表示装置に表示するための前記データおよび前記メタデータを生成するための生成手順、前記メタデータを前記データに付与するメタデータ付与手順、前記データおよび前記メタデータを中継する中継手順、前記データおよび前記メタデータを表示する表示手順を含む処理手順を構築し、前記生成手順を、1つ以上の生成装置、また前記中継手順を1つ以上の中継装置に、また前記表示手順を1つ以上の表示装置に配布する機能を含み、
前記生成装置は、
前記管理装置から配布された前記生成手順に基づいて、前記中継装置を介して前記表示装置にデータを送信する機能を含み、
前記中継装置は、
前記管理装置から配布された前記中継手順に基づいて、前記生成装置から受信した前記データまたは前記メタデータを用いて、前記中継手順に含まれる取得手順に基づいて前記生成装置にメタデータ問合せをおこない、新たなメタデータを生成する機能を含み、
前記表示装置は、
前記管理装置から配布された前記表示手順に基づいて、前記中継装置から受信した前記データまたは前記メタデータを表示する機能を含む、
ことを特徴とするデータ収集システム。
【請求項２】
請求項１のデータ収集システムにおいて、
前記関連付け情報は、
前記メタデータ付与手順における入力や出力、前記メタデータ付与手順が実行可能な検索対象の装置の位置、前記メタデータ付与手順の中でデータを取得する検索先、前記メタデータ付与手順の入力として使うデータから必要な部分を抽出するための手順を示す入力テンプレート、前記検索先に対して問合せをおこなう際の問合せを生成する手順を示す問合せテンプレート、前記検索先から、問合せに対する返答の中から必要な部分を抽出する手順を示す返答テンプレート、前記入力と前記問合せの返答から、前記新たなメタデータの雛形を示す出力テンプレート、を含む情報であり、
前記メタデータ付与手順は、
受信したメタデータのうち、本エントリで対象とするメタデータのタイプを示す入力、
前記本エントリの入力に適合した前記メタデータで、直前に受信した前記メタデータの最新の値、
前記メタデータ付与手順の中で前記データを取得する先を示す検索先、
前記メタデータ付与手順の入力として使う前記データから必要な部分を抽出するための手順を示す入力テンプレート、
前記検索先に対して問合せをおこなう際の問合せを生成する手順を示す問合せテンプレート、
前記検索先に対して前記問合せテンプレートに基づいて問合せをおこない、その返答から必要な部分を抽出する手順を示す返答テンプレート、
前記入力と前記問合せの返答から、新たに生成する前記メタデータの雛形を示す出力テンプレート、を含む、
ことを特徴とするデータ収集システム。
【請求項３】
請求項１のデータ収集システムにおいて、前記データおよび前記メタデータが同一ストリーム上の異なる格納形式で送受信することを特徴とするデータ収集システム。
【請求項４】
請求項１のデータ収集システムにおいて、
前記データおよび前記メタデータを蓄積する蓄積装置をさらに有し、
前記管理装置は、
前記関連付け設計機能を用いて作成された関連付け情報に含まれるデータの位置と取得方法に従って、前記表示装置に表示するためのデータおよびメタデータに関する処理手順を生成装置、中継装置、蓄積装置の何れか１つ以上、あるいはすべてに配布する機能を含み、
前記蓄積装置は、
前記管理装置から配布されたメタデータ付与手順を含む処理手順に基づいて、前記中継装置を経由して受信した前記データまたは前記メタデータを蓄積する機能を含む、
ことを特徴とするデータ収集システム。
【請求項５】
データ収集システムにおいて、
データおよびメタデータを生成する生成装置と、
前記データおよび前記メタデータを表示する表示装置と、
前記生成装置から送信された前記データおよび前記メタデータを前記表示装置に中継する中継装置と、
前記データおよび前記メタデータの関連付けを設計、定義する機能と、前記データとそれに関連した前記メタデータを指定、表示する方法を設計する機能と、前記生成装置、前記中継装置、前記表示装置、との間における前記データと前記メタデータの送受信および中継方法を含む処理手順を生成する機能、を有するデータ管理装置とを備え、
前記データ管理装置は、
前記関連付けを設定、定義する機能を用いて作成された関連付け情報に含まれるデータの位置と取得方法に従って、前記表示装置に表示するためのデータおよびメタデータに関する処理手順を生成装置、中継装置、蓄積装置の何れか１つ以上、あるいはすべてに配布する機能を含み、
前記生成装置は、
前記データ管理装置から配布された処理手順に基づいて、前記データに前記メタデータを関連付けし、前記中継装置を介して前記表示装置に送信する機能を含み、
前記中継装置は、
前記データ管理装置から配布された処理手順に基づいて、受信した前記データまたは前記メタデータを用いて、中継手順に含まれる問合せ情報に基づいて前記生成装置に問合せを行い、新たなメタデータを生成する機能を含み、
前記表示装置は、
前記データ管理装置から配布された処理手順に基づいて、受信した前記データまたは前記メタデータを表示する機能を含む、
ことを特徴とするデータ収集システム。
【請求項６】
請求項５に記載されたデータ収集システムにおいて、
前記処理手順が、前記データを表示する表示手順、前記データに前記メタデータを付与するメタデータ付与手順を含む、
ことを特徴とするデータ収集システム。
【請求項７】
請求項５に記載されたデータ収集システムにおいて、
前記データおよび前記メタデータを同一ストリーム上の異なる格納形式で送受信することを特徴とするデータ収集システム。
【請求項８】
請求項５のデータ収集システムにおいて、
前記データおよび前記メタデータを蓄積する蓄積装置、をさらに有し、
前記データ管理装置は、
前記関連付け設計機能を用いて作成された関連付け情報に含まれるデータの位置と取得方法に従って、前記表示装置に表示するためのデータおよびメタデータに関する処理手順を生成装置、中継装置、蓄積装置の何れか１つ以上、あるいはすべてに配布する機能を含み、
前記蓄積装置は、
前記データ管理装置から配布されたメタデータ付与手順を含む処理手順に基づいて、前記中継装置を経由して受信した前記データまたは前記メタデータを蓄積する機能を含む、
ことを特徴とするデータ収集システム。
【請求項９】
データおよびメタデータの関連付けを定義、設計する関連付け設計機能と、前記データと、前記データに表示すべき関連した前記メタデータを表示する方法を設計する設計機能と、前記関連付け設計機能と前記方法を設計する設計機能の２つの設計機能から与えられた情報から前記データと前記メタデータの送受信および中継方法を生成する機能を有する管理装置と、
前記データおよび前記メタデータを生成する生成装置と、前記データおよび前記メタデータを表示する表示装置と、前記データおよび前記メタデータを中継する中継装置を備えたデータ収集システムにおけるデータ収集方法であって、
前記管理装置は、
前記関連付け設計機能を用いて作成された前記関連付け情報に含まれる前記データの位置と取得方法に従って、前記表示装置に表示するための前記データおよび前記メタデータを生成するための生成手順、前記メタデータを前記データに付与するメタデータ付与手順、前記データおよび前記メタデータを中継する中継手順、前記データおよび前記メタデータを表示する表示手順を含む処理手順を構築し、前記生成手順を、1つ以上の生成装置、また前記中継手順を1つ以上の中継装置に、また前記表示手順を1つ以上の表示装置に配布
するステップ、を含み、
前記生成装置は、
前記管理装置から配布された前記生成手順に基づいて、前記中継装置を介して前記表示装置にデータを送信するステップを含み、
前記中継装置は、
前記管理装置から配布された前記中継手順に基づいて、前記生成装置から受信した前記データまたは前記メタデータを用いて、前記中継手順に含まれる取得手順に基づいて前記生成装置にメタデータ問合せをおこない、新たなメタデータを生成するステップ、を含み、
前記表示装置は、
前記管理装置から配布された前記表示手順に基づいて、前記中継装置から受信した前記データまたは前記メタデータを表示するステップ、を含む
ことを特徴とするデータ収集方法。
【手続補正２】
【補正対象書類名】明細書
【補正対象項目名】発明の名称
【補正方法】変更
【補正の内容】
【発明の名称】データ収集システムおよびデータ収集方法
【手続補正３】
【補正対象書類名】明細書
【補正対象項目名】０００１
【補正方法】変更
【補正の内容】
【０００１】
本発明は、データ収集システムおよびデータ収集方法に関する。